(57)【要約】【課題】ガラス上の異物の存在によって白黒原稿がカラー原稿であると誤判定されることを回避する。【解決手段】ＡＣＳが有効である場合、全ての読取ラインＲにおいて異物の存在が検知されると、流し読みガラス２０１に異物有りと検知され、異物が最小となるような読取ラインＲが原稿読取位置として設定される。異物の存在を示さないような読取ラインＲが１つでもあれば、異物無しと検知され、異物無しと検知された読取ラインＲの１つが原稿読取位置として設定される。異物有りの場合、色モードの選択をユーザから受け付け、色選択がない場合は、制御部４０１は、異物に対応する画素を周辺の画素で補間する異物画素補正処理、または、原稿画像の画素の色を判断する対象となる領域を変更するＡＣＳ処理対象領域変更のいずれかによる、ＡＣＳ変更の処理を実行する。【選択図】図８
2015080170.tif 000002
【特許請求の範囲】
【請求項１】
原稿を副走査方向へ搬送しながら流し読み用のガラスを通して前記原稿の画像を原稿読取位置で読み取る読取手段と、
前記ガラスに前記原稿を搬送していない状態で、前記原稿読取位置での前記読取手段の出力に基づき前記ガラスにおける異物の有無を検知する検知手段と、
前記原稿読取位置で前記読取手段により読み取られた前記原稿の画像に基づいて、前記原稿がカラー原稿であるか白黒原稿であるかを判定する判定手段と、
前記判定手段の判定結果に応じて、前記読取手段により読み取られた前記原稿の画像をカラー画像または白黒画像として生成する生成手段とを有し、
前記判定手段は、前記検知手段により前記ガラスに異物が有ると検知された場合は、前記読取手段により読み取られた前記原稿の画像のうち異物の画像を用いないで、前記原稿がカラー原稿であるか白黒原稿であるかを判定することを特徴とする原稿読取装置。
【請求項２】
前記判定手段は、前記読取手段により読み取られた前記原稿の画像のうち、主走査方向において異物が存在する領域を含まない領域の画像に基づいて、前記原稿がカラー原稿であるか白黒原稿であるかを判定することを特徴とする請求項１に記載の原稿読取装置。
【請求項３】
前記判定手段は、前記読取手段により読み取られた前記原稿の画像に対して異物に対応する画素を周辺の画素で補正した画像に基づいて、前記原稿がカラー原稿であるか白黒原稿であるかを判定することを特徴とする請求項１に記載の原稿読取装置。
【請求項４】
副走査方向に複数ある読取位置の候補のうち１つを、次の原稿を読み取る前記原稿読取位置として設定する設定手段を有し、
前記候補のいずれにおいても前記読取手段の出力が異物の存在を示す場合に、前記検知手段は前記ガラスに異物が有ると検知することを特徴とする請求項１〜３のいずれか１項に記載の原稿読取装置。
【請求項５】
前記候補のうち、前記読取手段の出力が異物の存在を示さないような読取位置がある場合は、前記検知手段は前記ガラスに異物が無いと検知すると共に、前記設定手段は、その読取位置を次の原稿を読み取る前記原稿読取位置として設定することを特徴とする請求項４に記載の原稿読取装置。
【請求項６】
前記候補のいずれにおいても、前記読取手段の出力が異物の存在を示す場合は、前記設定手段は、前記候補のうち、存在する異物が最も小さいことを示す読取位置を、次の原稿を読み取る前記原稿読取位置として設定することを特徴とする請求項４または５に記載の原稿読取装置。
【請求項７】
前記検知手段により前記ガラスに異物が有ると検知された場合に、生成する画像をカラー画像とするか白黒画像とするかの指示をユーザから受け付ける受け付け手段を有し、前記受け付け手段により前記指示を受け付けた場合は、前記生成手段は、前記判定手段の判定に依ることなく、前記読取手段により読み取られた原稿の画像を前記受け付けた前記指示に従ってカラー画像または白黒画像として生成することを特徴とする請求項１〜６のいずれか１項に記載の原稿読取装置。
【請求項８】
原稿を副走査方向へ搬送しながら前記原稿の表面の画像と裏面の画像とを並行して読み取ることが可能に構成され、流し読み用の前記ガラス、前記読取手段及び前記検知手段は、前記原稿の表面用と裏面用のそれぞれが設けられたことを特徴とする請求項１〜７のいずれか１項に記載の原稿読取装置。
【発明の詳細な説明】
【技術分野】
【０００１】
本発明は、原稿を搬送しながらガラスを通して原稿の画像を読み取る原稿読取装置に関する。
【背景技術】
【０００２】
従来、複写機、ファクシミリ装置等の画像処理装置には一般に、原稿の画像を読み取るための原稿読取装置が備えられている。また、自動原稿給紙装置（ＡＤＦ：ＡｕｔｏＤｏｃｕｍｅｎｔＦｅｅｄｅｒ）を備えた装置もある。近年の画像処理装置においては、原稿がカラー原稿なのか白黒原稿なのかを判断する自動カラー原稿選択（ＡＣＳ：ＡｕｔｏＣｏｌｏｒＳｅｌｅｃｔｉｏｎ）機能という機能がある。この機能により、原稿束のページ毎にカラー原稿なのか白黒原稿なのかが判定され、読み取られた原稿束のページ毎にカラー情報の属性が判明する。
【０００３】
原稿の読み取り画像を、画像形成を行う装置で印刷出力する際には、例えば、白黒原稿であると判明した画像についてはカラー画像形成を行わずに黒のみの印刷処理をする。これにより、黒以外の色の画像形成に関わる処理をすることなく画像形成することが可能である。
【０００４】
ＡＣＳ機能を実施する場合には、基本的には原稿サイズ範囲を覆う領域を色情報認識範囲として、その範囲の原稿画像の色情報を認識することでカラー原稿か白黒原稿かを判定している。すなわち、原稿サイズが判明している場合には、その判明しているサイズ領域を色情報認識範囲とすればよい。しかし、原稿サイズを検知する機構がない場合は原稿サイズが不明であり、仮に原稿読み取り可能な最大サイズを色情報認識範囲とすると、原稿範囲外の背景やエッジの影等をカラー画像であると誤判定してしまう可能性がある。
【０００５】
そこで、特許文献１の画像処理装置においては、ＡＤＦ搬送した複数ページの原稿束を読み取る場合、読み取られた画像を印刷する記録紙のサイズをＡＣＳ処理実施範囲（色情報認識範囲）とする。そして、１ページ目の原稿サイズがＡＣＳ処理実施範囲より小さい場合、次ページの画像読み取りを中断し、画像データをカラー処理または白黒処理のいずれのモードで処理するかをユーザに選択させ、選択されたモードを優先させている。これにより、原稿サイズ検知機構がない機種であっても、ＡＣＳ処理での誤判定をなくすことができる。
【先行技術文献】
【特許文献】
【０００６】
【特許文献１】特開２０１０−４２７８号公報
【発明の概要】
【発明が解決しようとする課題】
【０００７】
しかしながら、特許文献１の画像処理装置では、流し読み用のガラスに付着等により存在する異物（ゴミ、汚れ、傷等）の影響については考慮していない。すなわち、ＡＤＦにより原稿を読み取る際に、原稿に付着している異物が原稿搬送によって移動して流し読み用のガラスに付着する場合がある。ガラスに異物が存在する状態でＡＣＳ処理を行う場合、異物の影響で、読み取られた原稿画像のうち異物に対応する領域に異物の色が残って、白黒原稿と判定すべきところをカラー原稿と判定するという、誤判定をするおそれがある。
【０００８】
本発明は上記従来技術の問題を解決するためになされたものであり、その目的は、ガラス上の異物の存在によって白黒原稿がカラー原稿であると誤判定されることを回避することができる原稿読取装置を提供することにある。
【課題を解決するための手段】
【０００９】
上記目的を達成するために本発明は、原稿を副走査方向へ搬送しながら流し読み用のガラスを通して前記原稿の画像を原稿読取位置で読み取る読取手段と、前記ガラスに前記原稿を搬送していない状態で、前記原稿読取位置での前記読取手段の出力に基づき前記ガラスにおける異物の有無を検知する検知手段と、前記原稿読取位置で前記読取手段により読み取られた前記原稿の画像に基づいて、前記原稿がカラー原稿であるか白黒原稿であるかを判定する判定手段と、前記判定手段の判定結果に応じて、前記読取手段により読み取られた前記原稿の画像をカラー画像または白黒画像として生成する生成手段とを有し、前記判定手段は、前記検知手段により前記ガラスに異物が有ると検知された場合は、前記読取手段により読み取られた前記原稿の画像のうち異物の画像を用いないで、前記原稿がカラー原稿であるか白黒原稿であるかを判定することを特徴とする。
【発明の効果】
【００１０】
本発明によれば、ガラス上の異物の存在によって白黒原稿がカラー原稿であると誤判定されることを回避することができる。
【図面の簡単な説明】
【００１１】
【図１】本実施の形態に係る原稿読取装置の構成を示す断面図である。
【図２】原稿読取動作を示す原稿読取装置の断面図である。
【図３】原稿読取動作を示す原稿読取装置の断面図である。
【図４】原稿読取動作を示す原稿読取装置の断面図である。
【図５】ＡＤＦ、リーダおよびコントローラ部の構成を示すブロック図である。
【図６】スキャナユニット及び流し読みガラスとそれらの周辺の拡大図である。
【図７】原稿読取位置と異物との関係の例示、ＡＣＳ処理対象領域変更の態様の例を示す図である。
【図８】ＡＤＦジョブ処理のフローチャートである。
【図９】ＡＤＦジョブ処理における信号や処理の流れを説明するブロック図である。
【図１０】色モード選択受け付けの画面例を示す図である。
【図１１】原稿読取装置の構成を示す断面図、Ａ部の拡大図である。
【図１２】ＡＤＦ、リーダおよびコントローラ部の構成を示すブロック図である。
【発明を実施するための形態】
【００１２】
以下、本発明の実施の形態を図面を参照して説明する。
【００１３】
（第１の実施の形態）
図１は、本実施の形態に係る原稿読取装置の構成を示す断面図である。この原稿読取装置５００は、画像読取装置(リーダ)２００、自動原稿給紙装置（ＡＤＦ）１００およびコントローラ部４００（図５参照）から構成される。
【００１４】
（ＡＤＦからの原稿給紙処理）
このＡＤＦ１００を使用した原稿の画像読取動作について説明する。ＡＤＦ１００による原稿読取ジョブが開始されると、スキャナユニット２０９が基準白色板２１９の直下の位置まで移動し、シェーディング動作が行われる。
【００１５】
シェーディング動作が行われた後、スキャナユニット２０９は流し読み用のプラテンガラス（以下、流し読みガラス）２０１の直下の原稿読取位置まで移動し、原稿が原稿読取位置に到達するまで待機する。
【００１６】
図２〜図４は、原稿読取動作を示す原稿読取装置５００の断面図である。
【００１７】
ＡＤＦ１００は、図２（ａ）に示すように、ジョブが開始されると、原稿トレイ３０に積載された原稿束Ｓの原稿面（読み取られる面）に給紙ローラ１が落下し、回転を開始する。これにより、原稿束Ｓの最上面の原稿Ｓ１が給紙される。その際、原稿束Ｓから最上面の１枚の原稿Ｓ１以外の原稿が重なって搬送されることを規制する分離ローラ２、分離パッド８および給紙ローラ１によって、給紙・搬送が行われる。給紙ローラ１によって給紙・搬送された原稿Ｓ１は、分離ローラ２と分離パッド８の作用によって１枚に分離される。この分離は周知の分離技術によって実現されている。原稿トレイ３０には、原稿サイズを検知するトレイサイズ検知センサ１０、１１が備えられる。
【００１８】
図２（ｂ）に示すように、分離ローラ２と分離パッド８によって分離された原稿Ｓ１は、レジストローラ３に搬送されレジストローラ３に突き当てられる。これにより、原稿Ｓ１の搬送における斜行が解消される。レジストローラ３の下流側には、原稿読取前ローラ４が設けられている。レジストローラ３から原稿読取前ローラ４を経て流し読みガラス２０１の方向に原稿Ｓ１を搬送する給紙パスが形成される。
【００１９】
図２（ｃ）に示すように、給紙パスに送られた原稿Ｓ１は、レジストローラ３により原稿読取前ローラ４に送られる。さらに、この原稿Ｓ１は、原稿読取前ローラ４を通過し、原稿読取プラテンローラ５の近傍にある流し読みガラス２０１の原稿読取位置を通過するように搬送される。
【００２０】
なお、原稿Ｓ１が流し読みガラス２０１の原稿読取位置に搬送される際、原稿読取先端位置を検知するため、リードセンサ１４により原稿の先端が検知される。ＡＤＦ１００は、リードセンサ１４のＯＮタイミングから、原稿が流し読みガラス２０１の原稿読取位置に達するまでの時間を、原稿読取前ローラ４および原稿読取プラテンローラ５の駆動源（モータ３０３；図５参照）のクロック計数により把握する。
【００２１】
このように、ＡＤＦ１００は、流し読みガラス２０１上の原稿読取位置に原稿先端が到達するタイミングを予測する。この予測された原稿先端到達タイミングで、スキャナユニット２０９により原稿表面の流し読み画像取り込みが行われる。
【００２２】
図３（ａ）に示すように、ＡＤＦ１００は、分離後センサ１２で原稿Ｓ１の後端を検知した際、原稿トレイ３０における次原稿の有無を原稿有無検知センサ１６で検知する。原稿Ｓ１の後端が原稿読取プラテンローラ５及びローラ６を通過し、さらに原稿Ｓ１が搬送されると、排紙センサ１５により原稿Ｓ１の後端が検知される。この排紙センサ１５による原稿後端検知タイミングをトリガとし、さらに、排紙ローラ７から排紙トレイ３１に原稿Ｓ１が排出されると（図３（ｂ））、原稿１枚の片面原稿読取搬送シーケンスは終了となる。
【００２３】
ＡＤＦ１００は、ジョブ設定で枚数設定分だけ原稿を読み取る場合を除き、基本的に原稿トレイ３０に原稿がなくなるまで、前述したような、原稿給紙、原稿画像取り込みおよび原稿排出を繰り返す。
【００２４】
図３（ａ）に示すように、ＡＤＦ１００は、原稿後端を分離後センサ１２により検知した際、原稿無し状態が検知された場合には、搬送中の原稿を最終原稿と判断し、最終原稿が排紙トレイ３１に排出されるまで待つ。そして、最終原稿が排紙トレイ３１に排出されると、ＡＤＦ１００は、各ローラの駆動源となる搬送モータ（モータ３０３；図５参照）を停止し、給紙ローラ１を元の位置に戻す。これにより、原稿読取ジョブは終了する。
【００２５】
（両面原稿読取時の原稿給紙処理）
原稿の両面読取時における原稿の搬送について説明する。図２（ａ）〜（ｃ）、図３（ａ）、（ｂ）に示すように、原稿の表面読取時、片面原稿の読み取りと同様に、原稿Ｓ１が搬送され、レジストローラ３により斜行補正が行われ、排紙ローラ７まで搬送される。
【００２６】
表面読取終了時に、原稿Ｓ１の後端によって排紙センサ１５がＯＦＦにされて後端検知がされた後、さらに、原稿Ｓ１の後端が排紙ローラ７の手前１８ｍｍのところに到達するまで原稿Ｓ１が搬送され、その後、原稿Ｓ１の搬送が停止する（図４（ａ））。
【００２７】
次に、原稿Ｓ１の裏面を読み取るために、原稿読取装置５００は、原稿Ｓ１の表裏を反転させる。図４（ｂ）に示すように、原稿読取装置５００は、排紙ローラ７に原稿Ｓ１を噛ませた状態で、排紙ローラ７を逆転させて排紙フラッパ２１を切り替える。この排紙ローラ７を逆転方向に駆動することにより、原稿読取装置５００は、原稿Ｓ１を反転パス２０（戻し搬送経路）に搬送し、上流に位置するレジストローラ３に突き当て、斜行補正を行う。
【００２８】
その後、原稿読取装置５００は、レジストローラ３を駆動し、排紙ローラ７を離間させ、排紙ローラ７の駆動を停止する。ここで、排紙ローラ７を離間させて停止させる理由は、原稿サイズがＡ３サイズのように大きい場合、反転中の原稿の後端が排紙ローラ７に残った状態で原稿が反転し、裏面読取中の原稿の先端が排紙ローラ７に再度突入する場合が想定されるためである。この場合、排紙ローラ７を離間させておかないと、排紙ローラ７で原稿の先端側と後端側とのすれ違いが発生するので、排紙ローラ７がニップを形成した状態で押しつけていると、搬送中の原稿の先端と後端の衝突が発生する。このため、このような衝突が発生しないように、排紙ローラ７を離間させておくのである。
【００２９】
図４（ｃ）に示すように、原稿読取装置５００は、原稿Ｓ１の先端が原稿読取前ローラ４を通過すると、原稿読取プラテンローラ５により再び原稿Ｓ１を流し読みガラス２０１へ移動させる。そして、原稿読取装置５００は、原稿Ｓ１の裏面を流し読みガラス２０１上の原稿読取位置で読み取る。
【００３０】
なお表面読取時と同様に、リードセンサ１４のＯＮタイミングから、流し読みガラス２０１の原稿読取位置へ原稿先端が到達するタイミングが、原稿読取プラテンローラ５の駆動源（モータ３０３；図５参照）のクロック計数により把握される。
【００３１】
このように、原稿読取装置５００は、原稿流し読みガラス２０１上の原稿読取位置への原稿先端の到達タイミングを予測し、この予測されたタイミングでスキャナユニット２０９により原稿裏面流し読みによる画像の取り込みを行う。
【００３２】
原稿裏面画像の読み取りが終了した後、原稿読取装置５００は、このまま排紙トレイ３１に原稿Ｓ１を排紙するのではなく、再度、反転パス２０を用いて原稿Ｓ１を反転させて排紙する。これは、原稿Ｓ１を排紙トレイ３１に排紙し、全ての原稿の読み取りが終了した際、原稿のページの順番が元の原稿束Ｓと同じ順番になるようにするためである。
【００３３】
（スキャナユニットによる読取処理）
ＡＤＦ１００に積載された原稿、原稿台プラテンガラス（以下、原稿台ガラス）２０２に載置された原稿は、それぞれ、流し読みガラス２０１、原稿台ガラス２０２を介して光学系により読み取られる。この光学系は、光源ランプ２０３と折り返しミラー２０４を有するスキャナユニット２０９、並びに、折り返しミラー２０５、２０６、レンズ２０７、およびＣＣＤセンサユニット２１０を備える。
【００３４】
リーダ２００において、原稿台ガラス２０２に載置された原稿については、スキャナユニット２０９が図１に示す矢印Ｆ１方向（副走査方向）に原稿を走査することで、原稿に記録された画像情報を光学的に読み取る。
【００３５】
また、ＡＤＦ１００上の原稿については、ＡＤＦ１００が、原稿トレイ３０に積載された原稿を１枚ずつ原稿読取位置に搬送しながら、リーダ２００が、スキャナユニット２０９を流し読みガラス２０１の原稿読取位置に移動させる。そして、その位置で搬送中の原稿をスキャナユニット２０９が読み取る。ＣＣＤセンサユニット２１０によって読み取られた画像情報は光電変換され、コントローラ部４００（図５参照）に画像データとして入力される。
【００３６】
基準白色板２１９は、シェーディング補正処理における白レベルの基準データを作成するための白板である。原稿読取ジョブの開始直後に、リーダ２００は、スキャナユニット２０９を基準白色板２１９の直下まで移動させ、基準白色板２１９を読み取ることで、シェーディング補正処理を行う。
【００３７】
（制御系の構成）
図５は、ＡＤＦ１００、リーダ２００およびコントローラ部４００の構成を示すブロック図である。
【００３８】
ＡＤＦ１００は、中央演算処理装置であるＣＰＵ３００、リードオンリメモリ（以下、ＲＯＭという）３０１、ランダムアクセスメモリ（以下、ＲＡＭという）３０２、出力ポートおよび入力ポートを備える。
【００３９】
ＲＯＭ３０１には、制御用プログラムが格納されている。ＲＡＭ３０２には、入力データや作業用データが格納される。出力ポートには、各種搬送用のローラを駆動するモータ３０３、ソレノイド３０６、クラッチ３０７などが接続されている。入力ポートには、各種センサ３０４が接続されている。各種センサ３０４には、分離後センサ１２、レジ前センサ１３、排紙センサ１５、原稿幅検知センサ１７等が該当する。
【００４０】
ＣＰＵ３００は、バスラインを介して接続されたＲＯＭ３０１に格納された制御プログラムに従って、原稿搬送を制御する。また、ＣＰＵ３００は、リーダ２００内のＣＰＵ３２１と制御用通信線３５１を介してシリアル通信を行い、リーダ２００との間で制御データの授受を行う。また、原稿画像データの先端の基準となる画先信号も、制御用通信線３５１を通してリーダ２００に通知される。
【００４１】
リーダ２００内のＣＰＵ３２１は、リーダ２００の全体の制御を行う。ＣＰＵ３２１には、プログラムを格納するＲＯＭ３２２およびワークＲＡＭであるＲＡＭ３２３が接続される。光学系用のモータドライバ３２６は、光学系駆動モータを駆動するためのドライバ回路である。
【００４２】
リーダ２００には、光源ランプ２０３およびＣＣＤセンサユニット２１０が接続されている。ＣＣＤセンサユニット２１０には、カラー画像読取用のＣＣＤセンサ２１１およびＣＣＤ制御部２１２が設けられている。ＣＰＵ３２１は、モータドライバ３２６を制御し、画像処理部３２５を介してＣＣＤセンサユニット２１０を制御することで、画像読取処理を行う。
【００４３】
原稿搬送を実現するために、ＣＰＵ３２１は、ＡＤＦ１００のＣＰＵ３００に制御用通信線３５１を介して紙搬送制御コマンドを指示する。ＣＰＵ３００は、紙搬送制御コマンドが指示されると、搬送パスに設置されている各種センサ３０４をモニタし、負荷である搬送用のモータ３０３、ソレノイド３０６およびクラッチ３０７を駆動し、紙搬送制御を行う。このように、ＣＰＵ３２１は、ＡＤＦ１００による原稿搬送制御およびリーダ２００における画像読取制御を行う。
【００４４】
紙間補正部３２４は、先行原稿と後続原稿との距離の補正を行う。レンズ２０７（図１）を介してＣＣＤセンサユニット２１０に結像された原稿の反射光像はデジタル画像データに変換される。この変換されたデジタル画像データに対し、さらに、画像処理部３２５でシェーディング補正処理や、画像データ上のスジ画像等を検知して除去する不要画像除去処理等の各種画像処理が施される。各種画像処理が施された画像データは、ライン画像を記憶する画像メモリ３２９に書き込まれる。画像メモリ３２９に書き込まれたデータは、順次、画像転送用クロック信号線を含む画像通信線３５３を通してコントローラ部４００へ送信される。
【００４５】
さらに、原稿画像データの先端の基準となる画先信号は、ＣＰＵ３２１によってタイミングが調整され、制御通信線３５２を通してコントローラ部４００に通知される。また、ＡＤＦ１００からの制御用通信線３５１で通知される画先信号も同様に、リーダ２００のＣＰＵ３２１によってタイミングが調整され、制御通信線３５２を通じてコントローラ部４００に通知される。
【００４６】
コントローラ部４００は、制御部４０１、変倍回転処理等のための画像制御回路４０２、補正回路４０３、画像メモリ４０４および操作部４０５を有する。コントローラ部４００は、リーダ２００およびＡＤＦ１００を含む原稿読取装置５００の全体を制御する。
【００４７】
ＣＰＵ３２１は制御バスラインに接続された画像処理部３２５を制御する。さらに、ＣＰＵ３２１は、画像処理部３２５を介して制御用通信線３５４から制御信号をＣＣＤセンサユニット２１０に伝達することでＣＣＤセンサユニット２１０を制御する。
【００４８】
ＣＣＤセンサユニット２１０によって原稿画像を走査する過程で、ＣＣＤセンサ２１１による読み取りの１ラインごとに、アナログ画像信号が、画像転送用クロック信号線を含む通信線２１３を介してＣＣＤ制御部２１２に出力される。
【００４９】
ＣＣＤ制御部２１２でアナログ画像信号がデジタル画像データに変換される。デジタル画像データは、画像転送用クロック信号線を含む画像データ情報通信線３５５から画像メモリ３２９を経由してコントローラ部４００に送信される。それらの信号は、画像制御回路４０２により変倍・回転等の画像処理が施された後、補正回路４０３に送信される。そして補正回路４０３は画像信号に対して補正処理を行い、画像メモリ４０４に書き込む。上述した様々な処理が施された画像データは、原稿の読取画像として扱われる。
【００５０】
（自動色モード選択機能：ＡｏｔｏＣｏｌｏｒＳｅｌｅｃｔｉｏｎ（ＡＣＳ））
リーダ２００により読み取られた１ページの画像データについて、ページ内のレッド（Ｒ）／グリーン（Ｇ）／ブルー（ｂ）で管理されたカラー画像データが、コントローラ部４００で色変換される。すなわち、プリンタ等の画像形成装置で印刷するためのイエロー（Ｙ）／マゼンタ（Ｍ）／シアン（Ｃ）／ブラック（Ｂｋ）に色変換される。そして、色変換されたＹ／Ｍ／Ｃ／Ｂｋの各色の画像データが画像形成装置に送信されることでカラーの画像形成がなされる。
【００５１】
プリンタ等の画像形成装置では、画像データがフルカラー画像か白黒画像かによって、各色トナーの全てを使用したフルカラー画像形成処理を実行するのか、あるいはブラックトナーのみを使用した単色画像形成処理を実行するのかが決定される。フルカラー画像形成の場合、使用するトナーも全ての色を使用することになるので、画像形成に必要なコストは、単色ブラックによる白黒画像に比較して通常は高く設定される。こうした事情があるため、読み取られた原稿画像データが白黒画像なのかフルカラー画像なのかが重要となる。
【００５２】
そこで、原稿画像のＲ／Ｇ／Ｂで管理された画像データをＹ／Ｍ／Ｃ／Ｂｋのトナー画像の色画像情報に変換する過程で、Ｂｋの色画像情報のみに変換される場合には、制御部４０１は、白黒画像と判断するように制御する。一方、Ｙ／Ｍ／Ｃ／Ｂｋの色画像情報に変換される場合には、制御部４０１は、フルカラー画像と判断するように制御する。これを自動で処理する機能を「自動色モード選択機能：以下ＡＣＳ機能」と呼ぶ。ＡＣＳ機能が有効であれば、カラー画像モード／白黒画像モードの選択は、原稿画像の画素の色の判断に基づき自動でなされる。ＡＣＳ機能が無効であれば、ユーザによる指定に従って、カラー画像モード／白黒画像モードの選択がなされる。このＡＣＳ機能の有効／無効の設定は、ユーザが操作部４０５で行えるようになっている。
【００５３】
（流し読みゴミ検知制御）
ＡＤＦ１００を使用した原稿画像読取動作において、原稿に付着していた埃、ゴミ、髪の毛等（以下、総称して「異物」と呼称することもある）が一緒に搬送され、その異物が流し読みガラス２０１上に残留してしまうことがある。流し読みガラス２０１と原稿との間に異物があると、異物も画像として読み込まれてしまい、その結果、異物の部分が色のついたスジとして画像データに現れてしまう。スジとして現れる画像データを、以降「異物画像」または「ゴミ画像」と略記することもある。また、「異物」の概念には、読みガラス２０１についた傷や汚れも含まれる。
【００５４】
このようなゴミ画像が原稿画像として読み込まれないようにするため、流し読みガラス２０１での原稿読取位置の主走査１ライン中に異物の有無を検知するための制御が必要となる。これを「流し読みゴミ検知制御」と呼んでいる。この流し読みゴミ検知制御では、ＣＣＤセンサ２１１によって原稿読取位置で読み取られる主走査１ライン分の画素の濃度と基準画像濃度との比較によりＣＰＵ３２１が異物の有無を検知する。ここで基準画像濃度は、異物であると判断するためのレベルとして予め決定されている。ＣＰＵ３２１は、読み取られ主走査１ライン分の各画素の濃度が基準画像濃度よりも高い／低い場合に、その画素に対応する位置に異物が付着している（異物有り）／していない（異物無し）と検知する。流し読みゴミ検知制御により、異物の位置についても把握することができる。
【００５５】
異物検知がされた後に実行される原稿画像読取において、異物位置の画素については、読み取られた異物位置の画素を捨て、異物に対応する画素を周辺の画素で補間する「異物画素補正処理」を適用することができる。すなわちＣＰＵ３２１は、異物位置の画素を挟む周辺画素間の濃度差分の線形濃度変換処理をした上で、変換処理された画像濃度の画素データを、異物位置の画素として使用することで、異物位置の画素について補正する。ここでいう周辺の画素は、主走査方向において異物に対して両側に隣接する画素である。例えば、異物位置を主走査方向において挟む画素データがほとんど“白”の画像濃度であれば、異物位置の画素も“白”で補正されることになる。
【００５６】
ただし、異物画素補正処理は、所定の画素幅未満の異物であれば異物の画素がきれいに補正されて大変有効である。しかし所定の画素幅以上の異物については、補正しても異物画素として残ってしまう場合もあり、あまり効果が期待できないので注意が必要である。
【００５７】
（ＡＤＦジョブにおけるＡＣＳ変更）
本実施の形態では、ＡＤＦ１００を使用する原稿読取ジョブ（流し読みジョブ）が実行される場合に、流し読みガラス２０１に付着している異物の画像がＡＣＳ処理での色判定に影響を与えないようにするために、各種の対応処置が実行される。これらの対応処置には、上記した「異物画素補正処理」のほか、「モードユーザ選択」、「ＡＣＳ処理対象領域変更」がある。
【００５８】
「モードユーザ選択」は、ＡＣＳ設定を解除して色モード（カラー画像モード／白黒画像モード）をユーザの指示によって決定する処置である。「ＡＣＳ処理対象領域変更」は、原稿がカラー原稿であるか白黒原稿であるかを判定するための原稿画像の画素の色を判断する対象となる領域を変更する処置である。以下、これらを図６〜図１０で説明する。
【００５９】
図６は、スキャナユニット２０９及び流し読みガラス２０１とそれらの周辺の拡大図である。図７（ａ）、（ｂ）は、原稿読取位置と異物との関係の例示、図７（ｃ）は、ＡＣＳ処理対象領域変更の態様の例を示す図である。
【００６０】
本実施の形態では、原稿読取位置は固定ではなく、図６、図７（ａ）、（ｂ）に示すような主走査方向に沿う５つの読取ラインＲ０〜Ｒ４の中から１つの読取ラインＲが選択されて原稿読取位置として設定される。原稿読取位置の複数の候補である各読取ラインＲは、副走査方向における位置が例えば等間隔に少しずつ異なっている。ＡＣＳ処理が有効である場合は、設定された原稿読取位置にて読み取られる原稿画像に基づき、原稿がカラー原稿であるか白黒原稿であるかが判定され、原稿画像がカラー画像または白黒画像として生成される。
【００６１】
読取ラインＲの選択においては、ＣＰＵ３２１は、まず、読取ラインＲ０〜Ｒ４のそれぞれにおいて、流し読みガラス２０１上に原稿がない状態におけるＣＣＤセンサユニット２１０の出力に基づいて異物の存在を検知する。その際、検知処理する読取ラインＲの順番は問わない。異物が存在しないような読取ラインＲが存在すれば、ＣＰＵ３２１は、その読取ラインＲを次の原稿画像を読み取る読取ラインＲ、すなわち原稿読取位置として設定する。これにより、異物の影響を受けることなくＡＣＳ処理が可能となる。しかし全ての読取ラインＲにおいて異物の存在が検知された場合は、ＣＰＵ３２１は、原稿読取位置を、異物画像が最小となる読取ラインＲに設定する。
【００６２】
このような制御は、異物の影響を受けないようにするため、あるいは受けにくくするためになされ、これを「流し読みゴミ回避制御」と呼ぶ。流し読みゴミ回避制御は、主に、ＡＤＦ１００を使用した原稿画像読取動作終了後の装置停止直前、または装置電源起動直後のＡＤＦ１００の準備制御として実施される。ただし、流し読みガラス２０１に原稿を搬送していない状態であれば、任意のタイミングで実行するようにしてもよい。
【００６３】
異物無しの読取ラインＲが存在しない場合、上記した対応処置を採る。ＡＣＳ処理の方法を変え、「異物画素補正処理」または「ＡＣＳ処理対象領域変更」により、読み取られた原稿画像のうち異物の画像を用いないでＡＣＳ処理を行うことで、異物の影響を回避することが可能である。図８、図９と併せてこれらを詳細に説明する。
【００６４】
図８は、ＡＤＦジョブ処理のフローチャートである。図９は、ＡＤＦジョブ処理における信号や処理の流れを説明するブロック図である。
【００６５】
図８の処理は、ＡＤＦ１００を使用する原稿読取ジョブが指示されたときに開始される。
【００６６】
コントローラ部４００の制御部４０１は、ＡＣＳが有効となっているか否かを判別する（ステップＳ１０１）。初期設定ではＡＣＳは無効に設定されているが、ＡＣＳの有効は上述したように操作部４０５によってユーザが設定することができる。また、ＡＣＳが無効の場合に、色モードをカラー画像モードまたは白黒画像モードのいずれにするかも、操作部４０５によってユーザが選択することができる。
【００６７】
その判別の結果、ＡＣＳが無効に設定されている場合は、制御部４０１は、選択されている色モードに設定して（ステップＳ１０８）、原稿読取動作に移行するよう原稿読取装置５００の全体を制御する（ステップＳ１１２）。
【００６８】
一方、ＡＣＳが有効である場合は、制御部４０１は、処理をステップＳ１０２に進める。ステップＳ１０２では、リーダ２００のＣＰＵ３２１が、上述の流し読みゴミ回避制御で説明した検知手法により、全ての読取ラインＲにおいて異物の存在が検知されたか否かを判別する。その判別の結果、ＣＣＤセンサユニット２１０の出力が異物の存在を示さないような読取ラインＲが１つも無い場合は、ＣＰＵ３２１は、流し読みガラス２０１に異物有りと検知する（ステップＳ１０３）。そしてＣＰＵ３２１は、５つの読取ラインＲのうち異物が最小となるような読取ラインＲを、原稿読取位置として設定する（ステップＳ１０４）。
【００６９】
一方、ＣＣＤセンサユニット２１０の出力が異物の存在を示さないような読取ラインＲが１つでもあれば、ＣＰＵ３２１は、流し読みガラス２０１に異物無しと検知する（ステップＳ１０９）。そしてＣＰＵ３２１は、５つの読取ラインＲのうち異物無しと検知された読取ラインＲの１つを、原稿読取位置として設定する（ステップＳ１１０）。
【００７０】
例えば、図７（ａ）に示す状態は、読取ラインＲ０、Ｒ１ではＣＣＤセンサユニット２１０の出力が異物の存在を示すが、読取ラインＲ２、Ｒ３、Ｒ４では示さない。この場合は、流し読みガラス２０１に異物無しと検知され、読取ラインＲ２、Ｒ３、Ｒ４のいずれかが原稿読取位置として設定される。原稿読取位置として設定される読取ラインＲの優先順位は予め定められており、例えば読取ラインＲ０に近い方から順に、Ｒ０、Ｒ１、Ｒ３、Ｒ２、Ｒ４の順とされる。
【００７１】
また、図７（ｂ）に示す状態は、全ての読取ラインＲでＣＣＤセンサユニット２１０の出力が異物の存在を示し、流し読みガラス２０１に異物有りと検知される。この場合、ＣＣＤセンサユニット２１０の出力から判断して、存在する異物が最も小さいことを示す読取ラインＲ（例えば、Ｒ２またはＲ４）が、原稿読取位置として設定される。
【００７２】
なお、ステップＳ１０２、Ｓ１０３、Ｓ１０９（検知手段）は、図８の処理の中で実行される形態に限られない。例えば、上述したように、ＡＤＦ１００使用後の装置停止直前や装置電源起動直後等、流し読みガラス２０１に原稿を搬送していない状態時にＣＰＵ３２１が実行してもよい。その場合、ＣＰＵ３２１の実行による検知結果の情報をＲＡＭ３２３に記憶しておく。そして、ＡＤＦ１００を使用する原稿読取ジョブが指示されたときにＣＰＵ３２１がＲＡＭ３２３を参照して、原稿読取位置の設定（ステップＳ１０４、Ｓ１１０）を行うようにしてもよい。
【００７３】
ステップＳ１０２〜Ｓ１０４、Ｓ１０９、Ｓ１１０における検知結果や設定結果の情報は、ＣＰＵ３２１から制御部４０１に通知される。ステップＳ１０４の処理後は、制御部４０１は、生成する画像をカラー画像とするか白黒画像とするかの指示、すなわち、色モードの選択をユーザから受け付ける（ステップＳ１０５）。
【００７４】
図１０に、色モード選択受け付けの画面例を示す。この受け付け画面は、操作部４０５の表示画面に表示される。受け付け画面では、ユーザは、色モードとしてカラー画像、白黒画像のいずれかを選択してＡＣＳの設定を解除できるほか、「続ける」を押下することで、色モードを選択することなくＡＣＳの有効状態を継続することができる。
【００７５】
すなわち、受け付け画面で「フルカラーにする」、または「白黒にする」が押下されると、制御部４０１は、処理をステップＳ１０８に進める。その場合、受け付け画面での選択に応じた色モードに設定され、ＡＣＳは無効（解除）となる。色モードの選択は、図９のステップＳ１３０５で操作部４０５からユーザ設定情報として入力されて、制御部４０１に通知される。一方、「続ける」が選択されると、制御部４０１は、処理をステップＳ１０７に進める。なお、一定時間が経過しても受け付け画面での選択操作がなかった場合にも、処理をステップＳ１０７に進めるようにしてもよい。
【００７６】
ステップＳ１０７では、制御部４０１は、ＡＣＳ変更の処理を実行する。具体的には、上述の異物画素補正処理またはＡＣＳ処理対象領域変更のいずれかを実行する。これらのいずれを採用するかは、予めユーザが設定できるようにしてもよいが、本実施の形態では、制御部４０１が判断することとする。すなわち、制御部４０１は、異物画素補正処理により異物の影響の回避が可能と判断すれば異物画素補正処理を採用し、回避可能でなければＡＣＳ処理対象領域変更を採用する。
【００７７】
まず、図９に示すように、読み取られたＲ／Ｇ／Ｂの各色の画像データにつき、設定されている読取ラインＲにおいて画像処理部３２５が異物画素補正処理を実施することで異物の影響回避が可能か否かをＣＰＵ３２１が判断する。そして可能である場合は異物画素補正処理を実施するようＣＰＵ３２１が制御する（ステップＳ１３０１）。この異物画素補正処理では、異物に対応する画素が周辺画素を使用した画像データへ変換されることで、ＡＣＳ処理時の判定への影響がなくなる。
【００７８】
ＡＣＳ処理対象領域変更については、読み取られた原稿画像のうち、図７（ｃ）に示すように、主走査方向において異物が存在する領域を含まない画像領域をＡＣＳ処理対象領域として新たに設定する。まず、主走査方向における異物の位置は異物の検知によって判明しているので、異物が存在する領域をＡＣＳ処理対象領域から除外する。
【００７９】
例えば、図７（ｂ）に示すような異物付着状態において、図７（ｃ）に示すように、主走査方向において異物の存在する領域を含んだ領域を異物領域９０３とする。制御部４０１は、主走査方向において、異物領域９０３を挟んで格子で表示された第１領域９０１及び第２領域９０２を、新たなＡＣＳ処理対象領域として設定する。異物領域９０３をＡＣＳ処理対象領域から外してＡＣＳ処理を実行することで、異物の影響がキャンセルされ、本来白黒画像と判断すべき画像をカラー画像と誤検知することがなくなる。
【００８０】
なお、異物領域９０３の決定については、例えば、主走査方向における異物の中心位置Ｐ１から所定範囲としてもよい。あるいは、主走査方向における異物の端位置から、それぞれの側に所定画素分だけ離間した位置の間の領域としてもよい。
【００８１】
ここで、信号や処理の流れを図９で改めて確認すると、原稿読取画像が画像メモリ３２９からラスタデータとして転送され（ステップＳ１３０２）、画像制御回路４０２でラスタデータから画像データに変換される（ステップＳ１３０３）。そしてそれが補正回路４０３に転送される。ステップＳ１３０４では、制御部４０１は、補正回路４０３の一部の設定機能により、元のＡＣＳ処理対象領域から異物領域９０３を除くように変更する。
【００８２】
ステップＳ１３０６では、ＡＣＳが有効であれば、制御部４０１が、転送されたＲ／Ｇ／Ｂの各色の画像データの色を、設定されているＡＣＳ処理対象領域について、設定されているＡＣＳの方法で判断する。図８のステップＳ１０７処理後は、制御部４０１は、処理をステップＳ１１２に進める。
【００８３】
ステップＳ１１０を処理した場合、異物無しの読取ラインＲにて原稿の読み取りがなされることになるので、ＡＣＳ処理においてもカラー画像・白黒画像の判定に影響が生じない。そのため、制御部４０１は、ＡＣＳの設定を通常のＡＣＳに設定する（ステップＳ１１１）。すなわち、ＡＣＳの方法の変更を行わない。
【００８４】
ステップＳ１１２における原稿読取動作では、図９のステップＳ１３０６にも示されるように、その時点で設定されている方法でＡＣＳ処理が実行され、カラー画像・白黒画像の判定がなされる（判定手段）。そしてその判定結果に応じて、読み取られた原稿画像をカラー画像または白黒画像として生成する処理がなされる（生成手段）。またＡＣＳが無効となっている場合は、選択されている色モードに従って画像生成の処理がなされる。
【００８５】
本実施の形態によれば、流し読みガラス２０１に異物が有ると検知された場合は、ＡＣＳ処理において、読み取られた原稿画像のうち異物の画像を用いないで原稿がカラー原稿であるか白黒原稿であるかが判定される。これにより、流し読みガラス２０１上の異物の存在によって白黒原稿がカラー原稿であると誤判定されることを回避することができる。
【００８６】
また、複数ある原稿読取位置の候補（読取ラインＲ）のいずれにおいてもＣＣＤセンサユニット２１０の出力が異物の存在を示す場合に、「異物有り」と検知される。一方、出力が異物の存在を示さないような読取ラインＲがある場合は、「異物無し」と検知されて、その読取ラインＲが原稿読取位置として設定される。これにより、異物有りと検知される頻度を低くし、ＡＣＳ変更の頻度を下げることができる。
【００８７】
また、いずれの読取ラインＲにおいてもＣＣＤセンサユニット２１０の出力が異物の存在を示す場合であっても、存在する異物が最も小さいことを示す読取ラインＲが、原稿読取位置として設定される。これにより、異物画素補正処理における補正領域（補間画素数）、ＡＣＳ処理対象領域変更における異物領域９０３を小さく設定することが可能となり、ＡＣＳ変更による誤判定防止に有利となる。
【００８８】
また、流し読みガラス２０１に異物が有ると検知された場合に、ユーザにより選択される色モードが優先されるので、誤判定を確実に防止することができる。
【００８９】
（第２の実施の形態）
本発明の第２の実施の形態では、反転パスを用いることなく原稿を副走査方向へ搬送しながら原稿の表面の画像と裏面の画像とを並行して読み取れるようにする。さらに、モードユーザ選択、異物画素補正処理、ＡＣＳ処理対象領域変更を、表面、裏面のそれぞれについて独立に行えるようにする。
【００９０】
図１１（ａ）は、第２の実施の形態に係る原稿読取装置の構成を示す断面図である。図１１（ｂ）は、図１１（ａ）のＡ部の拡大図である。
【００９１】
この原稿読取装置５００は、第１の実施の形態のもの（図１）に対して、ＡＤＦ１００に、裏面を読み取るための裏面用スキャナユニット１０１８を設ける。また、ローラ６に代えてローラ１０２１を備え、さらに搬送ローラ１０２３、リードセンサ１０２０を備える。反転パス２０及びそれに関連する構成要素は備えていない。
【００９２】
図１１（ｂ）に示す矢印Ｆ２が、裏面読み取りにおける原稿の搬送方向（副走査方向）となる。流し読み用の裏面用プラテンガラス１０１９は、矢印Ｆ２の方向に往復移動可能であり、裏面画像読取用にシェーディングを実施するための裏面用基準白色板１０２２を備える。搬送路を搬送される原稿画像の裏面画像は裏面用プラテンガラス１０１９を通して読み取られる。裏面用基準白色板１０２２が裏面用の原稿読取位置にくるように裏面用プラテンガラス１０１９を搬送方向上流側に移動させた状態でシェーディング処理が実施される。
【００９３】
裏面の流し読みにおいても、表面と同様に、原稿読取位置は固定ではなく、図１１（ｂ）の点線１１０１内に示されるように、主走査方向に沿う３つの読取ラインＲ０〜Ｒ２の中から１つの読取ラインＲが選択されて原稿読取位置として設定される。
【００９４】
図１２は、ＡＤＦ１００、リーダ２００およびコントローラ部４００の構成を示すブロック図である。
【００９５】
ＡＤＦ１００は、図１の画像処理部３２５に相当する画像処理部１２０８を備える。ＡＤＦ１００において、裏面用スキャナユニット１０１８は、図１のＣＣＤセンサ２１１に相当するＣＣＤセンサ１２１１、ＣＣＤ制御部２１２に相当するＣＣＤ制御部１２１２を備える。その他の構成は、第１の実施の形態の原稿読取装置５００と同様である。裏面用スキャナユニット１０１８が裏面用、ＣＣＤセンサユニット２１０が表面用の読取手段となる。
【００９６】
コントローラ部４００により、画像読取制御のための各種コマンドがリーダ２００に発行される。そのコマンドを受けて、リーダ２００がＡＤＦ１００と通信処理により各種情報をやり取りしながら原稿を搬送し、原稿画像を読み取るように制御する。そして、原稿画像のデータがコントローラ部４００に通知されることで、原稿画像が読み取られる。裏面用スキャナユニット１０１８で読み取られた裏面画像データは、通信線１２５４を通じてリーダ２００を介してコントローラ部４００に通知される。
【００９７】
本実施の形態で、原稿の裏面が単独で読み取りされる場合は、図８のＡＤＦジョブ処理と同様の処理が、裏面の読み取りに関して実行される。また、原稿の表面と裏面とが１回の原稿搬送にて並行して読み取られる場合は、図８のＡＤＦジョブ処理が表面の読み取りに関して実行されるのと並行して、それと同様の処理が裏面の読み取りに関して実行される。
【００９８】
裏面の読み取りに関しては、図８のステップＳ１０２〜Ｓ１０４、Ｓ１０９、Ｓ１１０の処理は、ＡＤＦ１００のＣＰＵ３００が実行し、検知結果や設定結果の情報がリーダ２００を介して制御部４０１に通知される。
【００９９】
本実施の形態によれば、原稿の裏面の読み取りに関し、裏面用プラテンガラス１０１９上の異物の存在によって白黒原稿がカラー原稿であると誤判定されることを回避することができる。特に、表面と裏面を並行して読み取る際にも、表裏の双方について誤判定を回避することができる。
【０１００】
なお、第１、第２の実施の形態において、原稿読取位置の候補となる読取ラインＲは５つ、または３つであったが、複数であればよく数は問わない。また、読取ラインＲは等間隔で段階的に設けたが、無段階に設定できるようにしてもよい。
【０１０１】
なお、異物画素補正処理またはＡＣＳ処理対象領域変更によって異物の影響を回避することに主眼を置くならば、原稿読取位置の候補となる読取ラインＲは単一（固定）であってもよい。読取ラインＲを単一とした場合は、図８のステップＳ１０２では、単一の読取ラインＲにおいて異物の存在が検知された場合に流し読みガラス２０１に異物有りと検知するようにすればよい。
【０１０２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【０１０３】
２０１  流し読みガラス
３２１  ＣＰＵ
４０１  制御部
４０５  操作部
２１０  ＣＣＤセンサユニット
１０１８  裏面用スキャナユニット
１０１９  裏面用プラテンガラス
【図１】
2015080170.tif 000003
【図２】
2015080170.tif 000004
【図３】
2015080170.tif 000005
【図４】
2015080170.tif 000006
【図５】
2015080170.tif 000007
【図６】
2015080170.tif 000008
【図７】
2015080170.tif 000009
【図８】
2015080170.tif 000010
【図９】
2015080170.tif 000011
【図１０】
2015080170.tif 000012
【図１１】
2015080170.tif 000013
【図１２】
2015080170.tif 000014